Podtech/llm-jp-corpus-v4-ja_patent huggingface dataset:
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な有利状態制御手段と、
設定値に応じて異なる割合により示唆演出を実行可能な示唆演出実行手段と、
遊技者の動作を検出可能な検出手段と、を備え、
前記示唆演出は、
複数の選択肢が提示され、前記検出手段により遊技者の動作が検出されたことにもとづいていずれかの選択肢が選択される演出であり、
設定値に応じて提示可能な選択肢が異なる
ことを特徴とする遊技機。
【請求項２】
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な有利状態制御手段と、
設定値に応じて異なる割合により示唆演出を実行可能な示唆演出実行手段と、
遊技者の動作を検出可能な検出手段と、を備え、
前記示唆演出は、
複数の選択肢が提示され、前記検出手段により遊技者の動作が検出されたことにもとづいていずれかの選択肢が選択される演出であり、
設定値に応じて特定の選択肢が提示される割合が異なる
ことを特徴とする遊技機。
【手続補正２】
【補正対象書類名】明細書
【補正対象項目名】０００２
【補正方法】変更
【補正の内容】
【０００２】
設定操作にもとづいて複数段階の設定値のうちのいずれかの設定値に設定可能に構成され、設定されている設定値にもとづいて有利状態の制御を実行可能に構成されたパチンコ遊技機として、例えば、特許文献１に記載されたものがある。特許文献１には、設定値にもとづく演出の表示制御を行い、キリン、ゾウ、ライオンの各キャラクタ画像を表示させることが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載されたような遊技機において、必ずしも遊技興趣を高めることはできない。
【手続補正５】
【補正対象書類名】明細書
【補正対象項目名】０００５
【補正方法】変更
【補正の内容】
【０００５】
この発明は、上記の実状に鑑みてなされたものであり、遊技興趣を向上させる遊技機を提供することを目的とする。
【手続補正６】
【補正対象書類名】明細書
【補正対象項目名】０００６
【補正方法】変更
【補正の内容】
【０００６】
本発明による遊技機は、
遊技者にとって有利な有利状態（例えば、大当り遊技状態）に制御可能な遊技機であって、
複数の設定値（例えば、設定値「１」〜設定値「３」）のうちのいずれかの設定値に設定可能な設定手段と、
設定されている設定値にもとづいて前記有利状態に関する制御を実行可能な有利状態制御手段（例えば、遊技制御用マイクロコンピュータ１００におけるステップＳ１１４〜Ｓ１１７を実行する部分）と、
設定値に応じて異なる割合により示唆演出（例えば、選択示唆演出）を実行可能な示唆演出実行手段と、
遊技者の動作を検出可能な検出手段（例えば、スティックコントローラ３１Ａやプッシュボタン３１Ｂ）と、を備え、
前記示唆演出は、
複数の選択肢（例えば、第１〜第３種別の選択肢）が提示され、前記検出手段により遊技者の動作が検出されたことにもとづいていずれかの選択肢が選択される演出（例えば、遊技者によるプッシュボタン３１Ｂの押下操作にもとづいて、自動的に選択肢が選択される（図２１−６参照）、または遊技者によるスティックコントローラ３１Ａおよびプッシュボタン３１Ｂを用いた選択操作にもとづいて、遊技者の意向に沿って選択肢が選択される）であり、
設定値に応じて提示可能な選択肢が異なる（例えば、第５選択肢「１」は、設定値「１」または「２」の場合にのみ提示可能である。図２１−４参照）
ことを特徴とする。
この特徴によれば、遊技興趣を向上させることができる。
本発明による他の遊技機は、
遊技者にとって有利な有利状態（例えば、大当り遊技状態）に制御可能な遊技機であって、
複数の設定値（例えば、設定値「１」〜設定値「３」）のうちのいずれかの設定値に設定可能な設定手段）と、
設定されている設定値にもとづいて前記有利状態に関する制御を実行可能な有利状態制御手段（例えば、遊技制御用マイクロコンピュータ１００におけるステップＳ１１４〜Ｓ１１７を実行する部分）と、
設定値に応じて異なる割合により示唆演出（例えば、設定示唆演出）を実行可能な示唆演出実行手段と、
遊技者の動作を検出可能な検出手段（例えば、スティックコントローラ３１Ａやプッシュボタン３１Ｂ）と、を備え、
前記示唆演出は、
複数の選択肢（例えば、第１〜第３種別の選択肢）が提示され、前記検出手段により遊技者の動作が検出されたことにもとづいていずれかの選択肢が選択される演出（例えば、遊技者によるプッシュボタン３１Ｂの押下操作にもとづいて、自動的に選択肢が選択される（図２１−６参照）、または遊技者によるスティックコントローラ３１Ａおよびプッシュボタン３１Ｂを用いた選択操作にもとづいて、遊技者の意向に沿って選択肢が選択される）であり、
設定値に応じて特定の選択肢が提示される割合が異なる（図２１−４参照）
ことを特徴とする。
この特徴によれば、遊技興趣を向上させることができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
生物学的処理法で処理対象水を処理する汚水処理システムであって、
最初沈殿池と、処理対象水に対して生物学的処理を実施する生物学的処理部の前段とを備えた前処理槽と、
前記生物学的処理部の後段と、最終沈殿池とを備えた後処理槽と、
を備えた汚水処理システム。
【請求項２】
前記生物学的処理部の前段は、嫌気区画及び第１無酸素区画を含み、
前記生物学的処理部の後段は、好気区画を含む、請求項１に記載の汚水処理システム。
【請求項３】
前記生物学的処理部の後段は、さらに第２無酸素区画を含む、請求項２に記載の汚水処理システム。
【請求項４】
前記好気区画は、曝気を行う曝気区画と、汚泥を沈降させる沈降区画とからなる、請求項２又は３の記載の汚水処理システム。
【請求項５】
前記嫌気区画は、底部に開口を有し、
前記嫌気区画の前記開口の下方には、前記最初沈殿池に汚泥を掻き寄せる第１掻寄機が備えられている、請求項２〜４のいずれかに記載の汚水処理システム。
【請求項６】
前記第１無酸素区画は、底部に開口を有し、
前記第１無酸素区画の前記開口の下方には、前記最初沈殿池に汚泥をかき寄せる第１掻寄機が備えられている請求項２〜４のいずれかに記載の汚水処理システム。
【請求項７】
前記好気区画は、底部に開口を有し、
前記好気区画の開口の下方には、前記最終沈殿池に汚泥を掻き寄せる第２掻寄機が備えられている、請求項２〜４のいずれかに記載の汚水処理システム。
【請求項８】
前記生物学的処理部の前段の下方には、前記生物学的処理部の前段から沈降する汚泥を前記最初沈殿池に掻き寄せる第１掻寄機が備えられている、請求項１〜３のいずれかに記載の汚水処理システム。
【請求項９】
前記生物学的処理部の後段の下方には、前記生物学的処理部の後段から沈降する汚泥を前記最終沈殿池に掻き寄せる第２掻寄機が備えられている、請求項１〜３のいずれかに記載の汚水処理システム。
【請求項１０】
前記前処理槽は、上流側に前記最初沈殿池を有し、下流側に前記生物学的処理部の前段を有し、前記生物学的処理部の前段の下方に、前記生物学的処理部の前段から沈殿した汚泥を前記最初沈殿池に掻き寄せる第１掻き寄せ部を有し、
前記後処理槽は、上流側に前記生物学的処理部の後段を有し、下流側に前記最終沈殿池を有し、前記生物学的処理部の後段の下方に、前記生物学的処理部の後段から沈殿した汚泥を前記最終沈殿池に掻き寄せる第２掻き寄せ部を有し、
前記前処理槽の下流から排出される汚水が前記後処理槽の上流に供給される、請求項１に記載の汚水処理システム。
【請求項１１】
請求項８に記載の汚水処理システムの前記生物学的処理部の前段又は請求項９に記載の汚水処理システムの前記生物学的処理部の後段に用いられる撹拌装置であって、
回転駆動装置と、
前記回転駆動装置によって回転駆動する縦回転軸と、
前記縦回転軸に支持された撹拌羽根と、
を備え、
前記撹拌羽根は、前記縦回転軸と垂直な方向の流れを形成する撹拌作用部と、前記縦回転軸と平行な下方向の流れを形成する沈降作用部とを備えた、撹拌装置。
【請求項１２】
前記撹拌羽根は、前記縦回転軸に対して傾斜する傾斜面を有する、請求項１１に記載の撹拌装置。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
設定値に応じた制御を実行可能な遊技機であって、
前記設定値の設定を許可するための設定許可状態に制御可能な設定許可状態制御手段と、
前記設定許可状態に制御されたことを特定可能な特定情報を記憶する特定情報記憶手段と、を備え、
前記設定許可状態の制御が終了したことに基づいて前記特定情報が消去され、
前記特定情報記憶手段は、前記設定許可状態の制御が終了することなく当該遊技機への電力供給が停止されても前記特定情報を記憶可能であり、
当該遊技機への電力供給が開始されたときに前記特定情報記憶手段に前記特定情報が記憶されていることに基づいてエラー報知を実行可能なエラー報知手段を備える、
ことを特徴とする遊技機。
【手続補正２】
【補正対象書類名】明細書
【補正対象項目名】０００２
【補正方法】変更
【補正の内容】
【０００２】
特許文献１に示すように、複数段階の設定値を外部からの設定変更操作に基づいて変更する設定変更手段を備える遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報（段落０００７）
【手続補正４】
【補正対象書類名】明細書
【補正対象項目名】０００４
【補正方法】変更
【補正の内容】
【０００４】
特許文献１に記載されたような遊技機では、設定値の設定を行う際に電力供給が停止された場合に、遊技機の状態を適切に報知する必要がある。
【手続補正５】
【補正対象書類名】明細書
【補正対象項目名】０００５
【補正方法】変更
【補正の内容】
【０００５】
この発明は、上記の実状に鑑みてなされたものであり、設定値の設定を行う際に電力供給が停止された場合に、遊技機の状態を適切に報知することを目的とする。
【手続補正６】
【補正対象書類名】明細書
【補正対象項目名】０００６
【補正方法】変更
【補正の内容】
【０００６】
上記目的を達成するため、本願発明に係る遊技機は、
設定値に応じた制御を実行可能な遊技機であって、
前記設定値の設定を許可するための設定許可状態に制御可能な設定許可状態制御手段と、
前記設定許可状態に制御されたことを特定可能な特定情報を記憶する特定情報記憶手段と、を備え、
前記設定許可状態の制御が終了したことに基づいて前記特定情報が消去され、
前記特定情報記憶手段は、前記設定許可状態の制御が終了することなく当該遊技機への電力供給が停止されても前記特定情報を記憶可能であり、
当該遊技機への電力供給が開始されたときに前記特定情報記憶手段に前記特定情報が記憶されていることに基づいてエラー報知を実行可能なエラー報知手段を備える、
ことを特徴とする。
【手続補正７】
【補正対象書類名】明細書
【補正対象項目名】０００７
【補正方法】変更
【補正の内容】
【０００７】
（１）本願の他の発明の遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図８−２（Ｄ）、（Ｆ））。
このような構成によれば、演出効果を高めることができる。
（２）上記（１）の遊技機において、
前記示唆演出実行手段は、複数種類の前記示唆演出を実行可能であって、
複数種類の前記示唆演出において、前記所定期間内の演出の少なくとも一部は共通の態様で実行可能であるようにしてもよい（例えば図８−２（Ｃ））。
このような構成によれば、いずれの示唆演出が実行されるかに注目させることができ、興趣が向上する。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
原稿が載置される原稿台を有し、当該原稿台の前記原稿を読み取る読取手段と、
トレイを有し、当該トレイ上の原稿を前記読取手段によって読み取るために前記トレイ上の前記原稿を前記読取手段へ搬送する搬送手段と、
画像形成条件（段落００７７、００７９）に基づいて画像を形成する画像形成手段と、
前記画像形成手段にパターン画像をシートに形成させ、前記読取手段に前記シート上の前記パターン画像を読み取らせ、前記画像形成条件を前記読取手段による前記パターン画像の読取結果に基づいて生成する生成手段と、を有し、
前記読取手段は、前記原稿台に載置された前記シートを読み取る第１読取モードと、前記搬送手段により搬送された前記シートを読み取る第２読取モードとを実行し、
前記パターン画像が第１タイプのシートに形成される場合、前記読取手段は前記第１タイプの前記シート上の前記パターン画像を前記第１モードと前記第２モードとで読取可能であり、
前記パターン画像が前記第１タイプのシートよりも坪量が大きい第２タイプのシートに形成される場合、前記読取手段は前記第２タイプの前記シート上の前記パターン画像を前記第１モードで読取可能であり、且つ、前記第２モードで読取可能でないことを特徴とする印刷装置。
【請求項２】
前記画像形成条件は前記画像形成手段により形成される画像の前記シート上の位置のずれを調整するために用いられることを特徴とする請求項１に記載の印刷装置。
【請求項３】
前記第１読取モードを選択するための第１ボタンと前記第２読取モードを選択するための第２ボタンを表示する表示手段をさらに有し、
前記表示手段は、前記パターン画像が前記第２タイプのシートに形成される場合、前記第２ボタンを表示せずに前記第１ボタンを表示することを特徴とする請求項１又は２に記載の印刷装置。
【請求項４】
前記第２読取モードで読取可能でないことを通知するための画面を表示する表示手段をさらに有し、
前記表示手段は、前記パターン画像が前記第２タイプのシートに形成される場合、前記画面を表示することを特徴とする請求項１又は２に記載の印刷装置。
【請求項５】
前記制御手段は、前記パターン画像が形成される前記シートに関するユーザ指示情報を受け付け、前記画像形成手段によって前記パターン画像を形成する前記シートのタイプを前記ユーザ指示情報に基づいて決定することを特徴とする請求項１乃至４のいずれか１項に記載の印刷装置。
【請求項６】
前記第２タイプのシートのサイズは前記第１タイプのシートのサイズより大きいことを特徴とする請求項１乃至５のいずれか１項に記載の画像形成装置。
【請求項７】
前記第１タイプのシートの坪量は所定範囲内であり、
前記第２タイプのシートの坪量は前記所定範囲外であることを特徴とする請求項１乃至５のいずれか１項に記載の画像形成装置。
【請求項８】
前記第１タイプのシートは、ボール紙、タブ紙、ＯＨＰシート、又は、透明フィルムではなく、
前記第２タイプのシートは、ボール紙、タブ紙、ＯＨＰシート、又は、透明フィルムであることを特徴とする請求項１乃至５のいずれか１項に記載の印刷装置。
【手続補正２】
【補正対象書類名】明細書
【補正対象項目名】発明の名称
【補正方法】変更
【補正の内容】
【発明の名称】印刷装置
【手続補正３】
【補正対象書類名】明細書
【補正対象項目名】０００１
【補正方法】変更
【補正の内容】
【０００１】
本発明は、シートに画像を印刷する印刷装置に関する。
【手続補正４】
【補正対象書類名】明細書
【補正対象項目名】０００９
【補正方法】変更
【補正の内容】
【０００９】
上記目的を達成するために本発明の印刷装置は、原稿が載置される原稿台を有し、当該原稿台の前記原稿を読み取る読取手段と、トレイを有し、当該トレイ上の原稿を前記読取手段によって読み取るために前記トレイ上の前記原稿を前記読取手段へ搬送する搬送手段と、画像形成条件（段落００７７、００７９）に基づいて画像を形成する画像形成手段と、前記画像形成手段にパターン画像をシートに形成させ、前記読取手段に前記シート上の前記パターン画像を読み取らせ、前記画像形成条件を前記読取手段による前記パターン画像の読取結果に基づいて生成する生成手段と、を有し、前記読取手段は、前記原稿台に載置された前記シートを読み取る第１読取モードと、前記搬送手段により搬送された前記シートを読み取る第２読取モードとを実行し、前記パターン画像が第１タイプのシートに形成される場合、前記読取手段は前記第１タイプの前記シート上の前記パターン画像を前記第１モードと前記第２モードとで読取可能であり、前記パターン画像が前記第１タイプのシートよりも坪量が大きい第２タイプのシートに形成される場合、前記読取手段は前記第２タイプの前記シート上の前記パターン画像を前記第１モードで読取可能であり、且つ、前記第２モードで読取可能でないことを特徴とする。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
揺動開閉可能に連結される第１・第２の挟み腕（１・２）を有し、両挟み腕（１・２）
のプレス部（Ａ１）の対向面に髪を挟むプレス体（５）が設けられており、
両挟み腕（１・２）の少なくとも一方の挟み腕ケース（８）内に、髪に向かって放射光
を照射して髪を加熱する光源（１３）が設けられていることを特徴とする整髪機器。
【請求項２】
一対の挟み腕ケース（８・９）のプレス部（Ａ１）の対向面にそれぞれプレス体（５・
５）が固定され、プレス体（５・５）を間に挟む挟み腕ケース（８・９）の両側面の少な
くとも片方に照射開口（２０）が形成されており、
一対のプレス体（５・５）の間に髪を挟んで整髪を行う状態において、光源（１３）の
放射光を照射開口（２０）から斜めに照射して髪を加熱する請求項１に記載の整髪機器。
【請求項３】
プレス体（５・５）を間に挟む挟み腕ケース（８・９）の両側面のそれぞれに照射開口
（２０・２０）が形成されており、
一対のプレス体（５・５）の間に髪を挟んで整髪を行う状態において、挟み腕ケース（
８・９）の内部に設けた１個の光源（１３）の放射光を一対の照射開口（２０・２０）か
ら照射して、一対のプレス体（５・５）を通過する前の髪と、一対のプレス体（５・５）
を通過した後の髪を前記放射光で同時に加熱する請求項１に記載の整髪機器。
【請求項４】
挟み腕ケース（８・９）の内部において、１個の光源（１３）とプレス体（５）が正対
されており、
一対のプレス体（５・５）の間に髪を挟んで整髪を行う状態において、光源（１３）の
放射光を挟み腕ケース（８・９）の両側面の少なくとも片方に形成した照射開口（２０）
から照射して髪を加熱しながら、プレス体（５）を光源（１３）の放射光で同時に加熱す
る請求項２、または３に記載の整髪機器。
【請求項５】
一対の挟み腕ケース（８・９）のプレス部（Ａ１）の断面外郭形状がそれぞれ外突湾曲
状に形成されており、
一対のプレス体（５・５）の間に挟んだ髪を、挟み腕ケース（８・９）の周囲に巻込ん
だ状態において、照射開口（２０）に臨む髪を光源（１３）の放射光で加熱する請求項２
から４のいずれかひとつに記載の整髪機器。
【請求項６】
照射開口（２０）に眩しい光の通過を阻止する防眩フィルター（２３）が配置されてお
り、
防眩フィルター（２３）の外面が挟み腕ケース（８・９）の表面に連続して面一状に形
成されている請求項２から５のいずれかひとつに記載の整髪機器。
【請求項７】
プレス体（５・５）を間に挟む挟み腕ケース（８・９）の両側面に、プレス体（５）を
間に挟む状態で髪梳き体（２８・２９）が配置されている請求項２から６のいずれかひと
つに記載の整髪機器。
【請求項８】
髪梳き体（２９）が、照射開口（２０）に隣接配置されて、照射開口（２０）を通過す
る光源（１３）の放射光の照射方向に沿って突設されている請求項７に記載の整髪機器。
【請求項９】
光源（１３）が配置された挟み腕ケース（８・９）の内部に、光源（１３）の周辺構造
に冷却風を送給する送風ファン（１０）と、同ファン（１０）を回転駆動するモーター（
１１）が収容されており、
照射開口（２０）に隣接して排風出口（２７）が開口されており、
光源（１３）の周辺構造を冷却した後の冷却風を排風出口（２７）から挟み腕ケース（
８・９）の外へ放出する請求項２から８のいずれかひとつに記載の整髪機器。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
前記有利状態に制御される確率に関する設定値を設定可能な設定手段と、
数値を変化させて表示する数値表示手段と、
前記数値表示手段が表示する数値が特定値となったことにより特定演出を実行可能な特定演出実行手段と、を備え、
前記数値表示手段は、
数値を前記特定値まで変化させた後に数値の表示を終了するときと、数値を前記特定値まで変化させる前に数値の表示を終了するときと、があり、
遊技者にとって有利な設定値が設定されているときに、遊技者にとって不利な設定値が設定されているときよりも、数値を前記特定値まで変化させる前に数値の表示を終了する割合が高い
ことを特徴とする遊技機。
【手続補正２】
【補正対象書類名】明細書
【補正対象項目名】０００２
【補正方法】変更
【補正の内容】
【０００２】
設定値を設定可能なパチンコ遊技機として、例えば、特許文献１に記載されているものが提案されている。特許文献１に記載の遊技機では、設定値の示唆を行う演出が実行可能である。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載されたような遊技機において、演出の方法に改善の余地があった。
【手続補正５】
【補正対象書類名】明細書
【補正対象項目名】０００５
【補正方法】変更
【補正の内容】
【０００５】
この発明は、上記の実状に鑑みてなされたものであり、演出を改善して、遊技の興趣を向上させた遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
遊技を行い、遊技者にとって有利な有利状態（例えば大当り遊技状態など）に制御可能な遊技機（例えばパチンコ遊技機１など）であって、
前記有利状態に制御される確率に関する設定値を設定可能な設定手段（例えばステップＳａ１３の設定変更処理を実行するＣＰＵ１０３など）と、
数値を変化させて表示する数値表示手段（例えば計数演出を実行する演出制御用ＣＰＵ１２０）と、
前記数値表示手段が表示する数値が特定値（例えば「０」）となったことにより特定演出（例えば図２２−１１（Ｇ））を実行可能な特定演出実行手段（例えば特定演出を実行する演出制御用ＣＰＵ１２０）と、を備え、
前記数値表示手段は、
数値を前記特定値まで変化させた後に数値の表示を終了するとき（例えば図２２−１１）と、数値を前記特定値まで変化させる前に数値の表示を終了するとき（例えば図２２−１２）と、があり、
遊技者にとって有利な設定値が設定されているときに、遊技者にとって不利な設定値が設定されているときよりも、数値を前記特定値まで変化させる前に数値の表示を終了する割合が高い（例えば、１１０ＡＫＳ００３にて設定値が高いほど計数値「０」に決定されにくくなっている）。
このような構成によれば、遊技の興趣が向上する。
【手続補正７】
【補正対象書類名】明細書
【補正対象項目名】０００７
【補正方法】変更
【補正の内容】
【０００７】
（２）上記（１）の遊技機において、
設定されている設定値が遊技者にとって有利であるほど、前記数値表示手段により数値が表示されやすい（例えば、１１０ＡＫＳ００１にて設定値が高いほど計数演出を実行することに決定されやすくなっている）ようにしてもよい。
このような構成によれば、遊技の興趣が向上する。
【手続補正８】
【補正対象書類名】明細書
【補正対象項目名】０００８
【補正方法】変更
【補正の内容】
【０００８】
（３）上記（１）または（２）の遊技機において、
前記数値表示手段により数値が表示されたときに、設定されている設定値が遊技者にとって有利であるほど、変化の少ない段階で数値の表示を終了する割合が高い（例えば、１１０ＡＫＳ００３にて設定値が高いほど高い計数値に決定されやすくなっている）ようにしてもよい。
このような構成によれば、遊技の興趣が向上する。
【手続補正９】
【補正対象書類名】明細書
【補正対象項目名】０００９
【補正方法】変更
【補正の内容】
【０００９】
（４）上記（１）から（３）のいずれかの遊技機において、
前記数値表示手段による数値の表示態様が複数種類あるようにしてもよい。
このような構成によれば、遊技の興趣が向上する。
【手続補正１０】
【補正対象書類名】明細書
【補正対象項目名】００１０
【補正方法】変更
【補正の内容】
【００１０】
（５）上記（１）から（４）のいずれかの遊技機において、
前記数値表示手段による数値の変化速度が複数種類あるようにしてもよい。
このような構成によれば、遊技の興趣が向上する。
【手続補正１１】
【補正対象書類名】明細書
【補正対象項目名】００１１
【補正方法】変更
【補正の内容】
【００１１】
（６）上記（１）から（５）のいずれかの遊技機において、
前記数値表示手段は、数値を変化させて表示する際に、数値を一時的に非表示とすることが可能であるようにしてもよい。
このような構成によれば、遊技の興趣が向上する。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
少なくとも２つ以上のカートリッジを保持可能で、前記カートリッジの長手方向から前記カートリッジの着脱が可能な画像形成装置であって、
前記カートリッジの像担持体に向けて光を発光するための発光部と、
前記発光部の発光を制御するための制御部と、
前記カートリッジを着脱する際に前記画像形成装置の装置本体に対して開閉可能に構成されたカバーと、
前記カートリッジを前記装置本体に装着するとき、前記装置本体に対して前記カートリッジをガイドするガイド部と、
を有し、
前記カバーが閉じた閉鎖状態に比べて前記カバーが開いた開放状態において、前記像担持体は、前記カートリッジの長手方向と直交する方向において、前記発光部から離れた位置に配置され、
前記ガイド部は、前記カバーが開けられたとき、前記画像形成装置における重力方向の下方に移動し、
前記制御部は、前記カバーが開いた状態で、前記画像形成装置の前記装置本体から取り外す必要があると判断したカートリッジに一番近い発光部から発光を行うように制御することを特徴とする画像形成装置。
【請求項２】
前記像担持体上に静電潜像を形成するために露光する露光部と、
前記像担持体上にトナー像を形成するために前記静電潜像を現像する現像部と、を有し、
前記発光部は、前記像担持体上のトナー像が転写された後に、前記像担持体の表面を露光する前露光部であることを特徴とする請求項１に記載の画像形成装置。
【請求項３】
前記カートリッジを前記画像形成装置の内部での位置を決める位置決め部を有し、
前記カートリッジは、前記カバーが閉じられると、前記位置決め部と接し、前記カートリッジの位置が決まり、
前記カートリッジは、前記カバーが開けられると、前記位置決め部から離れ、
前記カートリッジの長手方向に対して垂直な面で見た場合に、前記カートリッジと前記位置決め部との間に形成される空間は、前記カバーが開いた状態の方が、前記カバーを閉じた状態よりも広いことを特徴とする請求項１に記載の画像形成装置。
【請求項４】
前記カートリッジの長手方向と直交する方向において、前記カバーが開いた状態での前記像担持体と前記発光部との間の距離は、前記カバーが閉じた状態での前記像担持体と前記発光部との間の距離より３ｍｍ以上長いことを特徴とする請求項１又は３に記載の画像形成装置。
【請求項５】
前記発光部は、複数のＬＥＤと、ＬＥＤから発光した光が通過する複数のレンズ部と、を有し、前記複数のＬＥＤは、前記カートリッジの長手方向に間隔をおいて配置されていることを特徴とする請求項１から４のいずれか１項に記載の画像形成装置。
【請求項６】
前記像担持体を第１像担持体とした場合、
少なくとも２つ以上のカートリッジは、前記第１像担持体を有する第１カートリッジと第２像担持体を有する第２カートリッジとを含むことを特徴とする請求項１から５のいずれか１項に記載の画像形成装置。
【請求項７】
第１像担持体を有する第１カートリッジと、第２像担持体を有する第２カートリッジと、
トナーを収納し第１像担持体にトナー像を形成するためのトナーを供給する第３カートリッジと、トナーを収納し第２像担持体にトナー像を形成するためのトナーを供給する第４カートリッジと、が各カートリッジの長手方向に対して、それぞれ独立に着脱可能な画像形成装置であって、
前記第１像担持体に向けて光を発光するための第１発光部と、
前記第２像担持体に向けて光を発光するための第２発光部と、
前記１発光部と前記第２発光部との発光を制御するための制御部と、
前記第１から４カートリッジを着脱する際に前記画像形成装置の装置本体に対して開閉可能に構成されたカバーと、
前記カートリッジを前記装置本体に装着するとき、前記装置本体に対して前記第１から４カートリッジをガイドするガイド部と、
を有し、
前記カバーが閉じた閉鎖状態に比べて前記カバーが開いた開放状態において、前記第１像担持体は、前記第１カートリッジの長手方向と直交する方向において、前記第１発光部から離れた位置に配置され、
前記カバーが閉じた閉鎖状態に比べて前記カバーが開いた開放状態において、前記第２像担持体は、前記第２カートリッジの長手方向と直交する方向において、前記第２発光部から離れた位置に配置され、
前記ガイド部は、前記カバーが開けられたとき、前記画像形成装置における重力方向の下方に移動し、
前記制御部は、前記カバーが開いた状態で、前記画像形成装置の前記装置本体から前記第１カートリッジを取り外す必要があると判断した場合に、前記第１発光部から発光を行うように制御することを特徴とする画像形成装置。
【請求項８】
第１像担持体を有する第１カートリッジと、第２像担持体を有する第２カートリッジと、
トナーを収納し第１像担持体にトナー像を形成するためのトナーを供給する第３カートリッジと、トナーを収納し第２像担持体にトナー像を形成するためのトナーを供給する第４カートリッジと、が各カートリッジの長手方向に対して、それぞれ独立に着脱可能な画像形成装置であって、
前記第１像担持体に向けて光を発光するための第１発光部と、
前記第２像担持体に向けて光を発光するための第２発光部と、
前記１発光部と前記第２発光部との発光を制御するための制御部と、
前記第１から４カートリッジを着脱する際に前記画像形成装置の装置本体に対して開閉可能に構成されたカバーと、
前記カートリッジを前記装置本体に装着するとき、前記装置本体に対して前記第１から４カートリッジをガイドするガイド部と、
を有し、
前記カバーが閉じた閉鎖状態に比べて前記カバーが開いた開放状態において、前記第１像担持体は、前記第１カートリッジの長手方向と直交する方向において、前記第１発光部から離れた位置に配置され、
前記カバーが閉じた閉鎖状態に比べて前記カバーが開いた開放状態において、前記第２像担持体は、前記第２カートリッジの長手方向と直交する方向において、前記第２発光部から離れた位置に配置され、
前記ガイド部は、前記カバーが開けられたとき、前記画像形成装置における重力方向の下方に移動し、
前記制御部は、前記カバーが開いた状態で、前記画像形成装置の前記装置本体から前記第３カートリッジを取り外す必要があると判断した場合に、前記第１発光部から発光を行うように制御することを特徴とする画像形成装置。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の第１レンズ群と、１つ以上のレンズ群を含む後群、とを有し、ズーミング及びフォーカシングに際して隣り合うレンズ群との間隔が変化するズームレンズにおいて、
前記第１レンズ群は３枚以上の負レンズを有し、
前記後群は、フォーカシングに際して移動する負の屈折力のフォーカスレンズ群を有し、
前記第１レンズ群の焦点距離をｆ１、前記ズームレンズの最短焦点距離をｆＷ、前記第１レンズ群の最も物体側に配置されているレンズＧ１の物体側と像側のレンズ面の曲率半径を各々Ｒ１、Ｒ２、前記フォーカスレンズ群の焦点距離をｆＦとするとき、
０．８５＜｜ｆ１｜／ｆＷ＜７．０
０．４０＜（Ｒ１―Ｒ２）／（Ｒ１＋Ｒ２）＜０．８０
２．０＜｜ｆＦ｜／ｆＷ＜７．０
なる条件式を満足することを特徴とするズームレンズ。
【請求項２】
最短焦点距離における前記レンズＧ１の物体側のレンズ面から像面までの距離をＬＤ、最短焦点距離における前記フォーカスレンズ群から像面までの距離をＦＤとするとき、
ＦＤ／ＬＤ＜０．５５
なる条件式を満足することを特徴とする請求項１に記載のズームレンズ。
【請求項３】
前記後群は、前記フォーカスレンズ群の物体側に配置された正の屈折力のレンズ群Ａを有することを特徴とする請求項１または２に記載のズームレンズ。
【請求項４】
前記後群は、前記フォーカスレンズ群の像側に配置された正の屈折力のレンズ群Ｂを有することを特徴とする請求項１乃至３のいずれか１項に記載のズームレンズ。
【請求項５】
前記後群は、前記フォーカスレンズ群の物体側に配置された正の屈折力のレンズ群Ａを有し、前記後群は、前記フォーカスレンズ群の像側に配置された正の屈折力のレンズ群Ｂを有し、前記レンズ群Ａの焦点距離をｆＡ、前記レンズ群Ｂの焦点距離をｆＢとするとき、
ｆＡ／ｆＢ＞０．１９
なる条件式を満足することを特徴とする請求項１乃至４のいずれか１項に記載のズームレンズ。
【請求項６】
最短焦点距離における、射出瞳の位置から像面までの距離をＴＫＷとするとき、
ＴＫＷ／ｆＷ＞４．０
なる条件式を満足することを特徴とする請求項１乃至５のいずれか１項に記載のズームレンズ。
【請求項７】
前記第１レンズ群は、１枚以上の正レンズを有することを特徴とする、請求項１乃至６のいずれか１項に記載のズームレンズ。
【請求項８】
前記後群は、前記フォーカスレンズ群の物体側に配置された正の屈折力のレンズ群Ａを有し、前記レンズ群Ａは、１枚以上の正レンズと、１枚以上の負レンズと、を有することを特徴とする、請求項１乃至７のいずれか１項に記載のズームレンズ。
【請求項９】
最短焦点距離におけるバックフォーカスをＢＦＷとするとき、
ＢＦＷ／ｆＷ＜３．５
なる条件式を満足することを特徴とする請求項１乃至８のいずれか１項に記載のズームレンズ。
【請求項１０】
前記後群は、物体側から像側へ順に配置された、正の屈折力の第２レンズ群、負の屈折力の第３レンズ群、正の屈折力の第４レンズ群から構成されることを特徴とする請求項１乃至９のいずれか１項に記載のズームレンズ。
【請求項１１】
前記第３レンズ群は前記フォーカスレンズ群であることを特徴とする請求項１０に記載のズームレンズ。
【請求項１２】
請求項１乃至１１のいずれか１項に記載のズームレンズと、該ズームレンズによって形成される像を受光する撮像素子とを備えることを特徴とする撮像装置。
【請求項１３】
前記ズームレンズが最短焦点距離であるときの最大像高をＹＷ、前記ズームレンズが最長焦点距離であるときの最大像高をＹＴとするとき、
１．７＜ＹＴ／ＹＷ＜２．５
なる条件式を満足することを特徴とする請求項１２に記載の撮像装置。
【請求項１４】
最短焦点距離における撮像画角をωＷ、最長焦点距離における撮像画角をωＴとするとき、
ωＷ＞１７０．０
ωＴ＞１７０．０
なる条件式を満足することを特徴とする請求項１２または１３に記載の撮像装置。
【手続補正２】
【補正対象書類名】明細書
【補正対象項目名】００１０
【補正方法】変更
【補正の内容】
【００１０】
本発明のズームレンズは、物体側から像側へ順に配置された、負の屈折力の第１レンズ群と、１つ以上のレンズ群を含む後群、とを有し、ズーミング及びフォーカシングに際して隣り合うレンズ群との間隔が変化するズームレンズにおいて、前記第１レンズ群は３枚以上の負レンズを有し、前記後群は、フォーカシングに際して移動する負の屈折力のフォーカスレンズ群を有し、
前記第１レンズ群の焦点距離をｆ１、前記ズームレンズの最短焦点距離をｆＷ、前記第１レンズ群の最も物体側に配置されているレンズＧ１の物体側と像側のレンズ面の曲率半径を各々Ｒ１、Ｒ２、前記フォーカスレンズ群の焦点距離をｆＦとするとき、
０．８５＜｜ｆ１｜／ｆＷ＜７．０
０．４０＜（Ｒ１―Ｒ２）／（Ｒ１＋Ｒ２）＜０．８０
２．０＜｜ｆＦ｜／ｆＷ＜７．０
なる条件式を満足することを特徴としている。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
ニューラルネットワークと、
雰囲気温度推定装置内の１又は複数の温度値を取得する温度取得部と、
前記ニューラルネットワークを用いて、前記雰囲気温度推定装置の周辺の雰囲気温度を推定するニューラルネットワーク計算部と、
前記雰囲気温度推定装置内を冷却制御値に基づき制御する冷却制御部と
を備え、
前記冷却制御部は、前記冷却制御値を動的に制御するように構成され、
前記ニューラルネットワーク計算部が前記ニューラルネットワークに入力する入力値は、前記温度取得部により取得された温度値と、
前記雰囲気温度推定装置内の熱源を制御する熱源制御値と、
前記冷却制御値とを含み、
前記冷却制御値は、最低設定値と最大設定値との間の設定値を含む、
雰囲気温度推定装置。
【請求項２】
前記入力値は、予め定められた期間における前記温度値の変化量を含む、請求項１に記載の雰囲気温度推定装置。
【請求項３】
前記熱源は、バックライト又は内部回路である、請求項１又は請求項２に記載の雰囲気温度推定装置。
【請求項４】
前記入力値は、前記雰囲気温度推定装置又は前記熱源の少なくとも一方の通電時間を含む、請求項１〜請求項３の何れか１つに記載の雰囲気温度推定装置。
【請求項５】
前記ニューラルネットワークは、複数の計算ノードにより構成され、
前記計算ノード毎に予め定められた重みが設定されており、
前記重みは、他の情報処理装置により予め機械学習されることにより設定されるか、前記雰囲気温度推定装置内により機械学習が実行されることにより設定される、請求項１〜請求項４の何れか１つに記載の雰囲気温度推定装置。
【請求項６】
温度取得部により、雰囲気温度推定装置内の１又は複数の温度値を取得する温度取得ステップと、
ニューラルネットワーク計算部により、ニューラルネットワークを用いて、前記雰囲気温度推定装置の周辺の雰囲気温度を推定するニューラルネットワーク計算ステップと、
冷却制御部により、前記雰囲気温度推定装置内を冷却制御値に基づき制御する冷却制御ステップと、
を備え、
前記冷却制御ステップでは、前記冷却制御値は動的に制御され、
前記ニューラルネットワークに入力される入力値は、前記温度取得部により取得された温度値と、前記雰囲気温度推定装置内の熱源を制御する熱源制御値と、前記冷却制御値と、を含み、
前記冷却制御値は、最低設定値と最大設定値との間の設定値を含む、を含む、
雰囲気温度推定方法。
【請求項７】
コンピュータを、
ニューラルネットワーク、
雰囲気温度推定装置内の１又は複数の温度値を取得する温度取得部、
前記ニューラルネットワークを用いて、前記雰囲気温度推定装置の周辺の雰囲気温度を推定するニューラルネットワーク計算部、
前記雰囲気温度推定装置内を冷却制御値に基づき制御する冷却制御部、
として機能させ、
前記冷却制御部は、前記冷却制御値を動的に制御するように構成され、
前記ニューラルネットワーク計算部が前記ニューラルネットワークに入力する入力値は、前記温度取得部により取得された温度値と、前記雰囲気温度推定装置内の熱源を制御する熱源制御値と、
前記冷却制御値と、を含み、
前記冷却制御値は、最低設定値と最大設定値との間の設定値を含む、
プログラム。
【請求項８】
請求項１に記載の雰囲気温度推定装置と、
情報処理装置と、
を有し、
前記雰囲気温度推定装置及び前記情報処理装置はそれぞれ、互いにデータ通信可能な通信部及びニューラルネットワークを備え、
前記ニューラルネットワークは、複数の計算ノードにより構成され、
前記計算ノード毎に予め定められた重みが設定されており、
前記情報処理装置は、前記雰囲気温度推定装置の前記温度取得部が取得した温度値と、前記雰囲気温度推定装置内の熱源を制御する熱源制御値と、前記雰囲気温度推定装置内の冷却制御に用いられる冷却制御値とを通信部により取得するように構成され、
前記計算ノード及び前記重みは、前記情報処理装置の前記通信部が前記雰囲気温度推定装置から取得した前記温度値と、前記熱源制御値と、前記冷却制御値とを前記情報処理装置のニューラルネットワークを用いて機械学習することにより決定され、
前記雰囲気温度推定装置は、前記決定された重みを通信部により取得するように構成される、
システム。
【手続補正書】
【提出日】令和2年8月18日(2020.8.18)
【手続補正１】
【補正対象書類名】明細書
【補正対象項目名】００１１
【補正方法】変更
【補正の内容】
【００１１】
本発明の好ましい実施形態において、ガラスビーズの直径が２０μｍ未満である。このようなガラスビーズを用いた場合、上記の効果がより顕著に現れる。また、本発明に係る圧力センサの製造方法は、金属又は合金でなる弾性体の表面に、低融点ガラスと、低融点ガラスの軟化温度よりも高い軟化温度を有するガラスビーズとを含む接合層であって、接合層１００質量部に含まれるガラスビーズの割合が、３．５質量部を超え１１．５質量部以下となるように配合された接合層を設け、低融点ガラスの軟化温度以上、ガラスビーズの軟化温度以下の温度に加熱された接合層に、歪ゲージを接合した後、冷却する圧力センサの製造方法である。
【手続補正２】
【補正対象書類名】明細書
【補正対象項目名】００３３
【補正方法】変更
【補正の内容】
【００３３】
本発明に係る圧力センサの製造方法は、金属又は合金でなる弾性体の表面に、低融点ガラスと、低融点ガラスの軟化温度よりも高い軟化温度を有するガラスビーズとを含む接合層であって、接合層１００質量部に含まれるガラスビーズの割合が、３．５質量部を超え１１．５質量部以下となるように配合された接合層を設け、低融点ガラスの軟化温度以上、ガラスビーズの軟化温度以下の温度に加熱された接合層に、歪ゲージを接合した後、冷却する圧力センサの製造方法である。本発明においては、接合層に含まれるガラスビーズの軟化温度が低融点ガラスの軟化温度よりも高いので、接合層を低融点ガラスの軟化温度以上、ガラスビーズの軟化温度以下の温度に加熱することができる。
【手続補正３】
【補正対象書類名】特許請求の範囲
【補正対象項目名】請求項８
【補正方法】変更
【補正の内容】
【請求項８】
金属又は合金でなる弾性体の表面に、低融点ガラスと、前記低融点ガラスの軟化温度よりも高い軟化温度を有するガラスビーズとを含む接合層であって、前記接合層１００質量部に含まれる前記ガラスビーズの割合が、３．５質量部を超え１１．５質量部以下となるように配合された接合層を設け、前記低融点ガラスの軟化温度以上、前記ガラスビーズの軟化温度以下の温度に加熱された前記接合層に、歪ゲージを接合した後、冷却する
圧力センサの製造方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
浴槽に向けて送風する吹出し口と、浴室の空気を吸い込む循環用吸込み口と、前記循環用吸込み口の開閉を行う循環用ダンパーと、浴室外の空気を吸気する吸気用吸込み口と、前記吸気吸込み口に連通するダクトの開閉を行う吸気用ダンパーと、送風を制御する制御装置と、を備えた浴室送風装置において、
前記制御装置は、前記循環用吸込み口から吸気して前記吹出し口から送風する循環モードと、前記吸気用吸込み口から吸気して前記吹出し口から送風する吸気モードとを備えていることを特徴とする浴室送風装置。
【請求項２】
前記制御装置は、浴室の温度を検知する温度センサーによって検知した温度に基づいて、前記循環モードと前記吸気モードとを切替えることを特徴とする請求項１に記載の浴室送風装置。
【請求項３】
前記制御装置は、前記循環モードと前記吸気モードとを切替える指示を行う操作パネルからの指令によって、前記循環モードと前記吸気モードとを切替えることを特徴とする請求項１に記載の浴室送風装置。
【手続補正２】
【補正対象書類名】明細書
【補正対象項目名】０００８
【補正方法】変更
【補正の内容】
【０００８】
そして、この目的を達成するために、本発明に係る浴室送風装置は、浴槽に向けて送風する吹出し口と、浴室の空気を吸い込む循環用吸込み口と、循環用吸込み口の開閉を行う循環用ダンパーと、浴室外の空気を吸気する吸気用吸込み口と、吸気吸込み口に連通するダクトの開閉を行う吸気用ダンパーと、送風を制御する制御装置と、を備えた浴室送風装置において、制御装置は、循環用吸込み口から吸気して吹出し口から送風する循環モードと、吸気用吸込み口から吸気して吹出し口から送風する吸気モードとを備えた浴室送風装置であり、これにより所期の目的を達成するものである。
【手続補正３】
【補正対象書類名】明細書
【補正対象項目名】００１２
【補正方法】変更
【補正の内容】
【００１２】
本発明に係る浴室送風装置は、浴槽に向けて送風する吹出し口と、浴室の空気を吸い込む循環用吸込み口と、循環用吸込み口の開閉を行う循環用ダンパーと、浴室外の空気を吸気する吸気用吸込み口と、吸気吸込み口に連通するダクトの開閉を行う吸気用ダンパーと、送風を制御する制御装置と、を備えた浴室送風装置において、制御装置は、循環用吸込み口から吸気して吹出し口から送風する循環モードと、吸気用吸込み口から吸気して吹出し口から送風する吸気モードとを備えた構成を有する。
【手続補正４】
【補正対象書類名】明細書
【補正対象項目名】００２２
【補正方法】変更
【補正の内容】
【００２２】
（実施の形態１）
はじめに浴室送風装置１の構成について、図１を用いて説明する。図１は浴室送風装置１の構成を示す概略図である。図１に示すように、浴室送風装置１は浴室の天井裏に設置され、送風部２、制御装置１２、筐体１０、パネル１１、操作パネル１４、浴室温度センサー１３を備えている。また、浴室送風装置１は、浴槽１５の使用者１６に向けて、送風する風の供給源を選択できる２つの送風モードを備えている。各送風モードについては、以下で説明を行う。